(57)【要約】【課題】  水槽の底面に設置される底面濾過装置において、濾過ユニットより起立されて、濾過後の水を水槽内に戻す導水管を、濾過ユニットにスライド、かつ回動可能に設け、濾過ユニットに対する導水管の位置調整を簡単に行なうことができる。【解決手段】  水槽Ｖ内の底面に設置される濾過ユニットＵＢに、その内部の吸水室をエアポンプＰに連通する吸水部３を設け、この吸水部３は、濾過ユニットＵＢに対して回転可能で、かつスライド可能な吸水ジョイントＪを備えており、この吸水ジョイントＪにエアポンプＰに連通する導水管３０を接続し、この導水管３０を濾過ユニットＵＢに対して回動かつスライド調節できるようにした。【選択図】      図１
2006204309.tif 000002
【特許請求の範囲】
【請求項１】
水槽（Ｖ）内の底面に濾過ユニット（ＵＢ）を設置し、該濾過ユニット（ＵＢ）と前記底面とで吸水室（６）を形成し、吸水手段（Ｐ）により水槽（Ｖ）内の水を、濾過ユニット（ＵＢ）上の濾材を通して吸水室（６）内に吸引して濾過したのち水槽（Ｖ）内に戻すようにした、底面濾過装置において、
前記濾過ユニット（ＵＢ）に、前記吸水室（６）を吸水手段（Ｐ）に連通する吸水部（３）を設け、この吸水部（３）は、濾過ユニット（ＵＢ）に対して回転可能で、かつスライド可能な吸水ジョイント（Ｊ）を備えており、この吸水ジョイント（Ｊ）に設けた吸水管（２２）に前記吸水手段（Ｐ）に連通する導水管（３０）を接続し、この導水管（３０）を、濾過ユニット（ＵＢ）に対して回動かつスライド調節できるようにしたことを特徴とする、底面濾過装置。
【請求項２】
前記吸水ジョイント（Ｊ）は、濾過ユニット（ＵＢ）のコーナー部に設けた支持孔（１８）に回転自在に支持されるホルダ（１９）と、このホルダ（１９）にスライド可能に嵌合される案内管（２０）を備え、この案内管（２０）は、その内端に前記吸水室（６）に連通する吸水口（２１）が開口されると共にその外端に前記吸水管（２２）が起立されていることを特徴とする、前記請求項１記載の底面濾過装置。
【請求項３】
前記吸水手段（Ｐ）はエアポンプであり、そこに接続されるエアパイプ（３１）は、前記導水管（３０）内に挿入されることを特徴とする、前記請求項１または２記載の底面濾過装置。
【発明の詳細な説明】
【技術分野】
【０００１】
本発明は、金魚、熱帯魚、海水魚等の飼育用水槽の底面に敷設されて、水槽内の水を循環濾過するようにした、底面濾過装置に関するものである。
【背景技術】
【０００２】
従来、水槽内の底面に、底面濾過器を設置し、その底面濾過器を覆うように、水槽の底面に大磯などの砂利を敷き詰め、エアポンプ、水中ポンプなどの吸水手段により、水槽内の水を、砂利（濾材として機能する）および底面濾過器を通して吸い上げて濾過したのち、水槽内に戻すようにした、底面濾過装置は公知である（たとえば、特許文献１，２参照）。
【特許文献１】特開昭６３−１５１３２１号公報
【特許文献２】特開昭６０−２６１５１８号公報
【発明の開示】
【発明が解決しようとする課題】
【０００３】
ところで、前記特許文献１に開示されるものは、底面濾過器の吸水ケース５に、可撓管７３を介して吸水手段１０に連通される吸上げ管１６が接続され、この吸上げ管１６は吸水ケース５に対して位置調節が可能であるが、この可撓管７３は孔があきやすく耐久性に問題があり、また前記特許文献２に開示されるものは、底面濾過器のケーシング５と一体の支持筒２０に上昇管１５が嵌入されているため、ケーシング５に対する上昇管１５の位置調節ができないという問題がある。
【０００４】
本発明はかかる事情に鑑みてなされたもので、前記従来の前記問題を解決した、新規な底面濾過装置を提供することを目的とするものである。
【課題を解決するための手段】
【０００５】
前記目的達成のため、本請求項１の発明は、水槽内の底面に濾過ユニットを設置し、該濾過ユニットと前記底面とで吸水室を形成し、吸水手段により水槽内の水を、濾過ユニット上の濾材を通して吸水室内に吸引して濾過したのち水槽内に戻すようにした、底面濾過装置において、
前記濾過ユニットに、前記吸水室を吸水手段に連通する吸水部を設け、この吸水部は、濾過ユニットに対して回転可能で、かつスライド可能な吸水ジョイントを備えており、この吸水ジョイントに設けた吸水管に前記吸水手段に連通する導水管を接続し、この導水管を、濾過ユニットに対して回動かつスライド調節できるようにしたことを特徴としている。
【０００６】
また、前記目的達成のため、本請求項２の発明は、前記請求項１のものにおいて、前記吸水ジョイントは、濾過ユニットのコーナー部に設けた支持孔に回転自在に支持されるホルダと、このホルダにスライド可能に嵌合される案内管を備え、この案内管は、その内端に前記吸水室に連通する吸水口が開口されると共にその外端に前記吸水管が起立されていることを特徴としている。
【０００７】
さらに、前記目的達成のため、本請求項３の発明は、前記請求項１または２のものにおいて、前記吸水手段はエアポンプであり、そこに接続されるエアパイプは、前記導水管内に挿入されることを特徴としている。
【発明の効果】
【０００８】
前記各項の発明によれば、導水管を接続する吸水ジョイントは、濾過ユニットに対してスライドかつ回動可能であることから、従来の可撓性蛇腹管（孔があきやすい）を用いることなく、濾過ユニットに対する導水管の位置調整を簡単に行なうことができる。
【発明を実施するための最良の形態】
【０００９】
以下、本発明の実施の形態を、添付図面に示した本発明の実施例に基づいて説明する。
【００１０】
図１〜１２は、本発明の一実施例を示すものであり、図１は、本発明底面濾過装置を備えた水槽の全体平面図、図２は、図１の２−２線に沿う断面図、図３は、底面濾過装置の平面図、図４は、図３の４−４線に沿う断面図、図５は、図３の５−５線に沿う断面図、図６は、図３の６−６線に沿う拡大断面図、図７は、図３の７−７線に沿う断面図、第８図は、底面濾過装置の分解平面図、図９は、底面濾過装置の水の流れを示す図、図１０は、底面濾過装置の裏面の一部斜視図、図１１は、基部濾過ユニットのジョイントを外方にスライドした場合の部分平面図、図１２は、基部濾過ユニットのジョイントを回動した場合の部分平面図である。
【００１１】
図１，２において、水槽Ｖ内には、大磯などの砂利Ｓが敷きつめられており、本発明にかかる底面濾過装置の主体部をなす、基部および接続濾過ユニットＵＢ，ＵＪは、その砂利Ｓ中に埋設させて、水槽Ｖ内に設置される。このように基部および接続濾過ユニットＵＢ，ＵＪを水槽Ｖの底部に設置した状態で、これに接続される吸水手段のエアポンプＰを作動させることにより、水槽Ｖ内の水は、濾材として機能する砂利Ｓを透過して濾過されたのち、基部および接続濾過ユニットＵＢ，ＵＪに吸引され、エアと共に吸い上げられて水槽Ｖ内に戻される。
【００１２】
図３〜８に示すように、底面濾過装置は、吸水部３を備えた基部濾過ユニットＵＢと、これに着脱可能に接続される接続濾過ユニットＵＪとを備えており、これらの濾過ユニットＵＢ，ＵＪは、いずれも硬質の合成樹脂材よりなり、それらは上下に偏平で平面四角形であり、同じ大きさに形成され、基部濾過ユニットＵＢが吸水部３を備えているのに対して接続濾過ユニットＵＪは、それを備えていないが、その他の構成は略同じである。
【００１３】
まず、基部濾過ユニットＵＢの構造について説明するに、この基部濾過ユニットＵＢは、平面四角形で、上下に偏平に形成されており、上壁１と、該上壁１の四辺を囲む側壁２とを有し、その下面が開放されている。前記基部濾過ユニットＵＢの一つのコーナー部に、平面扇状の吸水部３が形成されると共にこの吸水部３に連通する２つの吸水通路４，５が、その吸水部３を挟む２辺に沿って略直角に形成され、さらに前記吸水部３および２つの吸水通路４，５を除く上壁１の下面に、吸水室６（水槽Ｖの底面上に設置される）が形成される。そして、図３，８，９に示すように、上壁１下の吸水室６と、２つの吸水通路４，５間は、それらを仕切る仕切壁７に間隔をあけて穿設した複数の通水孔８…を通して連通されている。したがって、吸水室６内の水は、通水孔８…を通って２つの吸水通路４，５間へと流れ、さらに、そこから吸水部３へと流れる（図９矢印）。前記吸水通路４，５の外端は開口されていて、後に述べるように、基部濾過ユニットＵＢに、接続濾過ユニットＵＪを接続したとき、その接続濾過ユニットＵＪの吸水通路１０４，１０５と連通できるようになっている。そして、接続濾過ユニットＵＪの吸水通路１０４，１０５に接続されない吸水通路４，５の開口外端は栓体４０により閉じられる。
【００１４】
前記吸水部３には、後に述べるように、放射方向にスライド調節可能（図１１参照）で、かつ基部濾過ユニットＵＢのコーナー部に設けた支持孔１８（図７参照）回りに回転可能（図１２参照）な吸水ジョイントＪが設けられる。
【００１５】
また、基部濾過ユニットＵＢの上壁１の上面には、前記吸水部３を残して、複数の四角な凹凸面１０…が縦横に格子状に連続的に形成されている。各凹凸面１０…は、図７に示すように、その中央の峰１０ａと、その縁辺の谷１０ｃと、その峰１０ａから谷１０ｃへ下向きに傾斜する傾斜面１０ｂを有し、その谷１０ｃは、隣り合う他の凹凸面１０の境界線１１と一致している。また前記傾斜面１０ｂは、平面Ｙ字状の複数の稜線と、それら間の複数の直線状谷間とを有して尖鋭な凹凸状に形成されている。そして、かかる形状に形成される尖鋭な凹凸面１０…を格子状に連続させてなる、基部濾過ユニットＵＢの上壁１は、その峰１０ａから谷１０ｃに向けて水が流れやすいようになっている。峰１０ａには一つ、谷１０ｃには複数の四角な小孔１２…がそれぞれ開口されており、上壁１に沿って流れる水は、それらの小孔１２…を通して前記吸水室６へと流入するようになっている。前記小孔１２…の大きさは、砂利（たとえば大磯）Ｓの粒よりも小さく、この小孔１２…から砂利Ｓが吸水室６内に落下することがないようにしてあり、また、これらの小孔１２…を通して前記吸水室６内の貯留エアーのエアー抜きが行なわれるようになっている。
【００１６】
図４〜７に示すように、前記２つの吸水通路４，５は、断面凹状であり、コーナーの吸水部３を挟む側壁２，２と、仕切壁7 ，７に沿って形成されており、これらの吸水通路４，５は、前記吸水部３のところで相互に連通されている。図３，９に示すように、前記仕切壁７，７は、前記吸水部３のところで円弧壁９により接続されている。
【００１７】
図３，７，８に示すように、前記吸水部３および２つの吸水通路４，５の開口上面は、前記基部濾過ユニットＵＢの上壁１の一部を構成するＬ字状の蓋体１３により閉じられる。前記蓋体１３は、吸水部３を閉じる扇形状部分１３ａと、その両側から略直角に延びて、前記２つの吸水通路４，５を閉じる短冊状部分１３ｂ，１３ｂとよりなる。前記扇形状部分１３ａの左右には、一対の係合孔１５，１５が穿設され、これらの係合孔１５，１５は、基部濾過ユニットＵＢの吸水部３に突設した係止爪１６，１６に係脱自在に係合し、前記吸水部３および２つの吸水通路４，５の開口上面を開閉可能に閉じる。そして、２つの吸水通路４，５の開口上面を閉じる２つの短冊状部分１３ｂ，１３ｂの上面には、基部濾過ユニットＵＢの上面に形成した、前記複数凹凸面１０と同じ複数凹凸面が形成されている。また、吸水通路４，５の開口外端（接続濾過ユニットＵＪの接続されない側の外端）は栓体４０により閉じられる。
【００１８】
図３，７〜９に示すように、基部濾過ユニットＵＢの一つのコーナー部に形成される吸水部３の底壁には、円形の支持孔１８が開口され、この支持孔１８には、円筒状のホルダ１９が回転自在に支持されている。このホルダ１９には、凹条の案内溝１９ａが形成されると共にその底面中央部に案内突起１９ｂが突設されている。一方、吸水ジョイントＪは、内端に吸水口２１を開口した偏平な角筒状の案内管２０と、この案内管２０より起立する吸水管２２とよりＬ状に形成されており、前記案内管２０は、前記ホルダ１９の案内溝１９ａにスライド可能に嵌合され、また案内管２０の底面に形成した長溝２０ａは、前記案内突起１９ｂにスライド自在に係合されている。したがって、吸水ジョイントＪは、図１１に矢印で示すように、長溝２０ａが案内突起１９ｂに沿ってスライドすることにより、基部濾過ユニットＵＢに対して放射方向にスライド調節可能であり、また、図１２に矢印で示すように、吸水ジョイントＪはホルダ１９と共に支持孔１８回りに回転して基部濾過ユニットＵＢに対して左右に回転調節可能である。
【００１９】
図３，８，９に示すように、基部濾過ユニットＵＢの吸水部３と対向する２辺、すなわち前記吸水通路４，５を有しない二辺の外面には、後に述べる接続濾過濾過ユニットＵＪの雄、雌連結片１２６，１２５と着脱可能に連結される雌、雄接続片２５，２６が間隔をあけて設けられる。
【００２０】
図１，２，７に示すように、前記吸水ジョイントＪの吸水管２２には、伸縮可能な導水管３０が接続される。この導水管３０は、水槽Ｖ内を垂直に延長され、その上端の出口は、水槽Ｖの上部に開口される。また、前記導水管３０内には、吸水手段としてのエアポンプＰに接続されるエアパイプ３１が挿入され、該エアパイプ３１の下端にエアストン３２が接続される。しかして、吸水ジョイントＪは、前述したように、基部濾過ユニットＵＢに対してスライドかつ回転可能であるので、水槽Ｖ内で、導水管３０の設置位置を調節することができる。導水管３０は通常のように、吸盤３３により水槽Ｖの壁面に固定される。
【００２１】
図８に示すように、基部濾過ユニットＵＢに着脱可能に接続される接続濾過ユニットＵＪは、基部濾過ユニットＵＢと同じ材質により同じ大きさで、同じ形状に形成されており、その上壁１０１の下面には、基部濾過ユニットＵＢと同じ吸水室１０６（水槽Ｖの底面と協働）が形成されると共にその相隣れる２辺に跨がって、側壁１０２および仕切壁１０７とにより、断面凹状で平面Ｌ字状の吸水通路１０４，１０５が形成されており、これらの吸水通路１０４，１０５の両外端は開口されている。そして、この吸水室１０６と、吸水通路１０４，１０５とは、仕切壁１０７に形成した複数の通水孔１０８を介して相互に連通されている。吸水通路１０４，１０５の開口上面は、Ｌ字状の蓋体１１３により開閉可能に閉じられ、また、それらの開口外端は、必要に応じて栓体４０により閉じられる。また、この接続濾過ユニットＵＪの上壁１０１および蓋体１１３の上面には、前記基部濾過ユニットＵＢの上面と同じ形状でかつ同じ小孔１２…を開口した凹凸面１０が形成されている。また、接続濾過ユニットＵＪの、吸水通路１０４，１０５を有しない他の２辺には、前記基部濾過ユニットＵＢの雌、雄連結片２５，２６と着脱可能に接続し得る他の雄、雌連結片１２５，１２６が形成されている。
【００２２】
つぎに、この実施例の作用について説明する。
【００２３】
この実施例は、基部濾過ユニットＵＢに、一つの接続濾過ユニットＵＢを接続した場合であり、図１〜３に示すように、基部濾過ユニットＵＢの一辺の雌、雄連結片２５，２６と、接続濾過ユニットＵＪの一辺の雄、雌連結片１２６，１２５を連結すれば、それらは一平面上に一体に結合され、それらの吸水通路４，５および１０４，１０５は相互に連通され、それらの吸水通路４，５および１０４，１０５の開口上面を蓋体１３，１１３によってそれぞれ閉じる。このとき、これらの吸水通路４，５；１０４，１０５の開口外端は、栓体４０によりそれぞれ閉じられる。
【００２４】
基部および接続濾過ユニットＵＢ，ＵＪの結合体を、図１，２に示すように、水槽Ｖの底面に設置する。これにより、水槽Ｖの底面には、基部および接続濾過濾過ユニットＵＢ，ＵＪとで、吸水室６，１０６が形成される。そして、水槽Ｖの底面には、基部および接続濾過ユニットＵＢ，ＵＪを覆うように、砂利Ｓを敷設する。また、吸水ジョイントＪには、導水管３０を接続し、該導水管３０に挿入される、エアストン３２を連結したエアパイプ３１をエアポンプＰに接続する。
【００２５】
エアポンプＰの運転によれば、導水管３０内に発生する上昇気流により、吸水室６，１０６内に吸引力が発生し、水槽Ｖ内の未浄化水は、砂利Ｓを通過して濾過され、浄化されたのち、その浄化水は、基部および接続濾過ユニットＵＢ、ＵＪの吸水室６，１０６に流入し、そこから複数の通水孔８，１０８を介して吸水通路４５，１０４，１０５へと流れ、吸水ジョイントＪを経て導水管３０内を上昇して、その上端の出口から水槽Ｖ内に戻される。
【００２６】
ところで、前記の濾過作用において、
(1) 吸水室６，１０６内に流入した水は、複数の通水孔８，１０８を通って吸水通路４，５，１０４，１０５へと流れることにより、該吸水通路４，５，１０４，１０５を流れる水の流速が増して、そこに溜まるゴミを水と共に流れ易くして、吸水室６，１０６や吸水通路４，５，１０４，１０６にゴミを滞留しにくくすることができる。
【００２７】
(2) 基部および接続濾過ユニットＵＢ，ＵＪの上壁１，１０１には、複数の凹凸面１０…が形成され、それらの凹凸面１０…は、前述のように、峰１０ａ、凹凸状傾斜面１０ｂおよび谷１０ｃを有して尖鋭な凹凸状に形成されており、峰１０ａと谷１０ｃにそれぞれ開口される小孔１２…は砂利Ｓの大きさよりも小さいことから詰まることなく、上壁１，１０１上の水は、その上壁１，１０１の傾斜より、該上壁１，１０１に沿い、小孔１２…を通って吸水室６，１０６へと円滑に流れて、滞留することがなく、水の循環が抵抗少なく円滑に行なわれる。
【００２８】
(3) 吸水室６，１０６内のエアは、該室６，１０６に滞留することなく、小孔１２…を通過して外部に放出され、エアの滞留によるＣＯ2 の発生を極力低減することができると共に水の円滑な流れを保障して、水の滞留による濾過機能の低下を防止することができる。
【００２９】
(4) 導水管３０を接続する吸水ジョイントＪは、基部濾過ユニットＵＢに対してスライドかつ回動可能であることから、従来の可撓性蛇腹管（孔があきやすい）を用いることなく、導水管３０の位置調整を簡単に行なうことができる。
【００３０】
以上、本発明の実施例について説明したが、本発明はその実施例に限定されることなく、本発明の範囲内で種々の実施例が可能である。
【００３１】
たとえば、前記実施例では、基部濾過ユニットに一つの接続濾過ユニットを接続した場合を説明したが、それらの基部および接続濾過ユニットには、他の複数の接続濾過ユニットを接続できることは勿論であり、また、前記実施例では、吸水手段として、エアポンプを用いているが、これに代えて水中ポンプなどの他のポンプを用いてもよい。
【図面の簡単な説明】
【００３２】
【図１】底面濾過装置を備えた水槽の全体平面図
【図２】図１の２−２線に沿う断面図
【図３】底面濾過装置の平面図
【図４】図３の４−４線に沿う断面図
【図５】図３の５−５線に沿う断面図
【図６】図３の６−６線に沿う拡大断面図
【図７】図３の７−７線に沿う断面図
【図８】底面濾過装置の分解平面図
【図９】底面濾過装置の水の流れを示す図
【図１０】底面濾過装置の裏面の一部斜視図
【図１１】基部濾過濾過ユニットのジョイントを外方にスライドした場合の部分平面図
【図１２】基部濾過濾過ユニットのジョイントを回動した場合の部分平面図
【符号の説明】
【００３３】
３・・・・・・・・・・・・吸水部
６・・・・・・・・・・・・吸水室
１８・・・・・・・・・・・支持孔
１９・・・・・・・・・・・ホルダ
２０・・・・・・・・・・・案内管
２１・・・・・・・・・・・吸水口
２２・・・・・・・・・・・吸水管
３０・・・・・・・・・・・導水管
３１・・・・・・・・・・・エンドパイプ
Ｊ・・・・・・・・・・・・吸水ジョイント
Ｐ・・・・・・・・・・・・吸水手段（エアポンプ）
Ｓ・・・・・・・・・・・・砂利
ＵＢ・・・・・・・・・・・濾過ユニット（基部濾過ユニット）
Ｖ・・・・・・・・・・水槽
【図１】
2006204309.tif 000003
【図２】
2006204309.tif 000004
【図３】
2006204309.tif 000005
【図４】
2006204309.tif 000006
【図５】
2006204309.tif 000007
【図６】
2006204309.tif 000008
【図７】
2006204309.tif 000009
【図８】
2006204309.tif 000010
【図９】
2006204309.tif 000011
【図１０】
2006204309.tif 000012
【図１１】
2006204309.tif 000013
【図１２】
2006204309.tif 000014